(57)【要約】  【課題】ホームに進入してくる電車の種々の情報を視覚的に簡単に確認することができ、乗客の安全確保、ホーム内での乗客の整然とした行動の確保、乗客に対する利便性を向上する。  【解決手段】駅のホーム床面の縁端側に沿って配設された複数の表示ブロックで構成される複数の表示ユニットのそれぞれの表示ブロックの発光タイミングを制御することによりホーム床面に所定の情報を表示するホーム床面表示方式であり、表示ユニットは４個又は２個の表示ブロックで構成され、４個又は２個の表示ブロックのそれぞれの点灯タイミングを制御して電車の進行方向に表示光の流れを表示する。【選択図】図１
2008094335.tif 000002
【特許請求の範囲】
【請求項１】
駅のホーム床面の縁端側に沿って配設された複数の表示ブロックで構成される複数の表示ユニットのそれぞれの表示ブロックの発光タイミングを制御することによりホーム床面に所定の情報を表示するホーム床面表示方式において、
前記表示ユニットは複数個の表示ブロックで構成され、
前記複数個の表示ブロックのそれぞれの点灯タイミングを制御して電車の進行方向に表示光の流れを表示するとともに、前記表示光の流れ速度を電車の接近が遠い場合には遅くし、間近に接近している場合には早くすることを特徴とするホーム床面表示方式。
【請求項２】
前記表示光の色を、接近してくる電車の種別によって変えることを特徴とする請求項１に記載のホーム床面表示方式。
【請求項３】
前記表示光の流れを表示する前の所定時間は、静止状態の特定の色を表示することを特徴とする請求項１又は２に記載のホーム床面表示方式。
【請求項４】
駅のホーム床面の縁端側に沿って配設された複数の表示ブロックで構成される複数の表示ユニットのそれぞれの表示ブロックの発光タイミングを制御することによりホーム床面に所定の情報を表示するホーム床面表示方式において、
ホームに停車する電車の乗降口を前記表示ユニットの予め定めた色で表示することを特徴とするホーム床面表示方式。
【請求項５】
前記電車の乗降口は、進入、到着する電車の種別によって前記表示ユニットの表示色を変えることを特徴とする請求項４に記載のホーム床面表示方式。
【請求項６】
非常ボタン操作時には、前記表示は、赤色の高速な光の流れで表示することを特徴とする請求項１に記載のホーム床面表示方式。
【発明の詳細な説明】
【技術分野】
【０００１】
本発明はホーム床面表示方式に関し、例えば、電車のホームへの接近や進入に際して有用な情報を表示するホーム床面表示方式に関する。
【背景技術】
【０００２】
例えば、駅のホームの縁端部に沿って床面にＬＥＤ等の表示素子を多数配設しておいて、列車がホームに接近したときに表示素子を順次点灯して床面をホームに沿って列車の進行方向に表示光が流れるように表示せしめる構成をとる、いわゆるスレッドライン表示はホームでの危険を知らせ、乗客の注意を喚起する目的で一般的に利用されている。
【０００３】
従来のスレッドライン構成における表示部は、図５に示すように構成されている。図５において、１表示構成は５個のＬＥＤ表示部Ｌ１〜Ｌ５が縦列に配設されて表示ブロックが構成され、各ＬＥＤ表示部は、同時点灯されて表示ブロック単位での点灯が行われる。通常、この表示構成が８個（Ｂ１〜Ｂ８）配列されたものを１表示ユニットとし、このような表示ユニットを８個単位でホームいっぱいに配設している。各表示ブロックの点灯を時間的にずらすことによって最初の表示ブロックから最終８番目の表示ブロックが順次点灯されることになる。実際のホームには、かかる表示ユニットをホームいっぱいに敷設し、各表示ユニットの表示ブロックを順次点灯させる。この場合、１番目の表示ブロックの点灯と同時に２番目以降の残りの表示ユニットの１番目の表示ブロックも同時に点灯させ、続いて各表示ユニットの２番目の表示ブロックの表示部を点灯させ、以下同様に、各表示ユニットの３番目以降の表示ブロックを順次点灯させ、点灯表示が連続するようにしている。
【０００４】
従来は、このように連続して配設された多数の表示ユニットを８個の表示ブロック単位で点灯動作させてスレッドライン表示を構成している。すなわち、この場合には、８個の表示ユニットを一単位とする表示ユニットにおいて１番目の表示ブロックから８番目までの表示ブロックを順次点灯させ、１番目の表示ブロックの点灯時にはすべての表示ユニットの１番目の表示ブロックを点灯させる。同様に、１番目の表示ユニットの２番目の表示ブロックの点灯時には他のすべての表示ユニットの２番目の表示ブロックを点灯させ、この点灯制御を順次行い、３番目から８番目の表示ブロックの点灯制御を行う。このような点灯制御によってホームにいる乗客はホーム床面を光が流れるように見えるため列車の接近と接近方向を視認することができる。
【０００５】
かかるスレッドライン構成については、各種の公知例が存在する。例えば、特許文献１では、複数の表示器に対応して複数の表示回路を備え、複数の表示器を１回線上に多段にカスケード接続して、複数の表示器に端子電圧を所定時間Ｔ毎に所定の順番でそれぞれ印加するようにすることによって配線を簡単化する表示装置が開示されている。
【特許文献１】特開２００３−０６６８８５号公報
【発明の開示】
【発明が解決しようとする課題】
【０００６】
上述従来のホーム床面表示方式は、ホームにいる乗客に対して列車の接近や進入を光の流れ表示で知らせることができるので、乗客の安全確保という面では大変有効である。
【０００７】
一方、表示ユニットがホーム縁側に沿って配設しているＬＥＤ等の表示部は、列車の接近や進入を知らせる機能に留まっており必ずしも有効に使われているわけではない。
【０００８】
本発明は、従来技術の上述した課題に鑑みなされたものであり、スレッドラインを広範な利用分野に拡張させたホーム床面表示方式を提供することを目的とする。
【課題を解決するための手段】
【０００９】
上述課題を解決するため本発明によるホーム床面表示方式は次のような特徴的な構成を採用している。
【００１０】
（１）駅のホーム床面の縁端側に沿って配設された複数の表示ブロックで構成される複数の表示ユニットのそれぞれの表示ブロックの発光タイミングを制御することによりホーム床面に所定の情報を表示するホーム床面表示方式において、
前記表示ユニットは複数個の表示ブロックで構成され、
前記複数個の表示ブロックのそれぞれの点灯タイミングを制御して電車の進行方向に表示光の流れを表示するとともに、前記表示光の流れ速度を電車の接近が遠い場合には遅くし、間近に接近している場合には早くするホーム床面表示方式。
（２）前記表示光の色を、接近してくる電車の種別によって変える上記（１）のホーム床面表示方式。
（３）前記表示光の流れを表示する前の所定時間は、静止状態の特定の色を表示する上記（１）又は（２）のホーム床面表示方式。
（４）駅のホーム床面の縁端側に沿って配設された複数の表示ブロックで構成される複数の表示ユニットのそれぞれの表示ブロックの発光タイミングを制御することによりホーム床面に所定の情報を表示するホーム床面表示方式において、
ホームに停車する電車の乗降口を前記表示ユニットの予め定めた色で表示するホーム床面表示方式。
（５）前記電車の乗降口は、進入、到着する電車の種別によって前記表示ユニットの表示色を変える上記（４）のホーム床面表示方式。
（６）非常ボタン操作時には、前記表示は、赤色の高速な光の流れで表示する上記（１）又は（２）のホーム床面表示方
【発明の効果】
【００１１】
本発明によるホーム床面表示方式は、ホームに配設した多数の表示ユニットによる各種表示を利用してホームに進入してくる電車の種々の情報を視覚的に簡単に確認することができ、乗客の安全確保、ホーム内での乗客の整然とした行動の確保、乗客に対する利便性の向上を図ることができるという顕著な効果が得られる。
【実施例】
【００１２】
以下、本発明によるホーム床面表示方式の好適実施例の構成および動作を、添付図面を参照して詳細に説明する。
【００１３】
先ず、本発明によるホーム床面表示方式におけるスレッドラインにおいては、図５と同様なＬＥＤ表示部が５個縦列に配設されて表示ブロックが構成され、この表示ブロック４個または２個で表示ユニットが構成され、かかる表示ユニットがホームいっぱいにホーム縁側に沿って多数配設されている。
【００１４】
本発明における表示制御は、前述の如く、表示ユニットを構成する表示ブロックを順次点灯するように制御することによってホームにいる乗客がホーム床面を光が流れるように見えるようにして列車の接近と接近方向を視認させるようにしている。
【００１５】
本実施例では、図１（Ａ）または（Ｂ）に示すように、表示ユニットを構成する４個または２個の表示ブロックＢ１〜Ｂ４、Ｂ５〜Ｂ８、・・・またはＢ１とＢ２、Ｂ３とＢ４、Ｂ５とＢ６、・・・が表示ユニットＳ１、Ｓ２、・・・またはＳ１、Ｓ２、Ｓ３、Ｓ４、・・・を構成し、４個または２個毎の点灯制御を行う。図１（Ａ）では、１番目の表示ユニットを構成する表示ブロックＢ１の点灯に引き続いて表示ブロックＢ２、Ｂ３及びＢ４が点灯されるとともに、１番目の表示ブロックＢ１の点灯に同期して、第１の表示ユニットに続いて配設されている第２以降最終の表示ユニットのそれぞれの第１番目以降第４番目の表示ブロックＢ５〜Ｂ８が順次切り換え点灯される。この表示点灯制御は図２に示すような回路構成によって行われる。
【００１６】
尚、表示ユニットを構成する表示ブロックＢ１、Ｂ２、・・・ＢｎのＬＥＤ表示部は、赤、青及び緑に発光し、これら赤、青、緑の３色を組み合わせて発光することもでき、こうすることによりフルカラーでの表示を可能とする。
【００１７】
図２において、表示ユニットＳ１、Ｓ２、・・・、Ｓｎを構成する表示ブロックＢ１〜Ｂｎのそれぞれはリレー回路Ｒ（１）〜Ｒ（ｎ）に接続され、個々のＬＥＤ表示部の点灯が制御される。シーケンサプロセッサ２は、リレー回路Ｒ（１）〜Ｒ（ｎ）を制御して個々のＬＥＤ表示部の点灯を上述のように制御する。シーケンサプロセッサ２は、連動装置３と接続され、表示素子ＬＥＤの点滅（点滅周期や点滅における点灯時間等）、減光、点灯を制御する。シーケンサプロセッサ２は、またデジタルスイッチ４に接続され、タイマーの設定、フリッカ設定、手動と自動の切り替え設定等がそれぞれ行われる。リレー回路Ｒ（１）〜Ｒ（ｎ）や表示ブロックＢ１〜Ｂｎには電源部５が接続され、交流電源を整流して直流電源が供給される。このような制御回路により、スレッドラインの点灯が各種態様で制御される。
【００１８】
本実施例では、従来の８個毎の点灯制御では間延びをした点灯であるのに対して、その半分（４個毎）または４分の１（２個毎）で表示点灯切替単位が行われるので、表示にキレがあり視認性が上がる。
【００１９】
表示ユニットの表示ブロックＢ１、Ｂ２、・・・の点灯シーケンスは、リレー回路Ｒ（１）〜Ｒ（ｎ）によって制御される。制御信号によりリレーが駆動され点灯態様が制御される。図３には、ＬＥＤ表示部に供給され、当該表示ＬＥＤを点灯させるためのスイッチング信号の供給タイミングが示されている。
【００２０】
４個の表示ブロックＢ１〜Ｂ４で第1の表示ユニットが、表示ブロックＢ５〜Ｂ８で第２の表示ユニットが、表示ブロックＢ９〜Ｂ１２で第３の表示ユニットが構成され、以降同様に４個単位で表示ユニットが構成されており、各ブロックＢ１〜Ｂ１２には、図示のようなタイミングでパルス信号が供給される。
【００２１】
第１表示ユニットＳ１の１番目の表示ブロックにパルス信号が供給され、以降、表示ブロックＢ２、Ｂ３、Ｂ４にパルス信号が順次供給される。また、表示ブロックＢ１に供給されるパルス信号と同じタイミングでパルス信号が第２表示ユニットの表示ブロックＢ５、第３表示ユニットの表示ブロックＢ９、・・・に供給される。同様に、第１表示ユニットＳ１の２番目の表示ブロックにパルス信号が供給され、以降、表示ブロックＢ３、Ｂ４に順次パルス信号が供給される。また、表示ブロックＢ２に供給されるパルス信号と同じタイミングでパルス信号が第２表示ユニットの表示ブロックＢ６、第３表示ユニットの表示ブロックＢ１０、・・・に供給される。更に、表示ブロックＢ３に供給されるパルス信号と同じタイミングでパルス信号が第２表示ユニットの表示ブロックＢ７、第３表示ユニットの表示ブロックＢ１１、・・・に供給される。続いて、表示ブロックＢ４に供給されるパルス信号と同じタイミングでパルス信号が第２表示ユニットの表示ブロックＢ８、第３表示ユニットの表示ブロックＢ１２、・・・に供給される。こうして、各表示ブロックにパルス信号が供給されて点灯が制御され、ホームにいる乗客は電車の進行方向（進入方向）に沿った光の流れが視認できるようになる。
【００２２】
図４に示す２表示ブロックを１表示ユニットとした場合も同様な点灯制御が行われる。すなわち、第１表示ユニットの表示ブロックＢ１とＢ２に順次パルス信号が供給されるが、表示ブロックＢ１に供給されるパルス信号と同じタイミングでパルス信号が第２表示ユニット以降の第１番目の表示ブロックに供給される。また、表示ブロックＢ２に供給されるパルス信号と同じタイミングでパルス信号が第２表示ユニット以降の第２番目の表示ブロックに供給される。
【００２３】
以上のように本実施例では、４個の表示ブロックまたは２個の表示ブロックを単位とする表示ユニットの各表示ブロックの点灯を制御して光の流れを作り出している。
【００２４】
本発明では、点灯の制御には、上述以外にも各種のものがあり、例えば、点灯時間、減光、点滅、点滅周期、表示色等がある。
【００２５】
ホーム縁端に沿って設置されている表示ユニットは、駅のホームに電車の進入時刻の所定時間前（数十秒〜数分前）から表示ユニットの点灯を制御する。
【００２６】
本発明の実施例では、電車がホームに進入する一定時間前から上述のように表示ブロックの点灯を制御して電車の進行方向に沿って流れるスレッドラインを表示させることにより、乗客に電車の接近、進入を簡単に視認させることができる。この流れるスレッドラインの流れの速度を、表示ブロックに供給するパルス信号の周期を変えることにより、流れ速度をゆっくりして電車の接近がまだ遠い場合ことを表示したり、流れ速度を高速にしてすぐ近くまで電車が接近していることを表示することもできる。スレッドラインの流れる表示をする前に、進入が未だ先の場合は、先ず赤色表示として乗客に事前の注意を促すことができる。
【００２７】
また、ホームに停車する電車の乗降口を特別な色を使って表示するように構成することもできる。上記電車の接近や乗降口を示す表示色は、進入、到着する電車の種別に応じて変えれば効率的な表示が可能となる。例えば、緑表示は快速、赤は特急、青は急行をそれぞれ表示するものとすれば視認が容易となる。
【００２８】
更に、電車の乗降口の種類、例えば優先シートや女性専用の乗降口では、他の乗降口の表示とは異なる発光色で表示させて、乗降口の種類を明示することもできる。
【００２９】
上記表示ユニットの流れる表示を、非常ボタン操作時に特殊なパターン（例えば、赤色の高速表示）とすることもできる。また、火災および非常時に流れる表示を使用して安全な場所に避難するための誘導灯とすることもできる。
【００３０】
このように表示ユニットは、ホームに進入し、ホームを通過、停車する電車の種別、例えば、普通、快速、新快速、急行、特急、準急、回送等を発光色で特定して表示することができる。勿論、乗降口についても次に進入する電車の種別に応じて定めることができる。
【００３１】
表示ユニットはＬＥＤ表示部で構成されるが、発光する光を集束するレンズを有するように構成することもできる。
【００３２】
上記点灯動作に代えてまたは併用して表示する態様として点滅動作を含むことは勿論である。
【００３３】
表示ユニットは、ホームの縁端に沿って配設されているが、実際に乗車口を表示動作させるのは、次に進入してくる電車の長さ区間だけにすることは電力消費面で当然配慮される。
【００３４】
以上、本発明によるホーム床面表示方式の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３５】
【図１】本発明によるホーム床面表示方式の好適実施例のスレッドライン表示の構成を示す図である。
【図２】本発明の実施例における表示ユニットを構成する表示ブロックを制御する制御回路の構成例をしめす構成図である。
【図３】本発明の４個のブロックを表示ユニットとする実施例におけるリレーを介してブロックに供給されるパルス信号の供給タイミングを示すブロック図である。
【図４】本発明の２個のブロックを表示ユニットとする実施例におけるリレーを介してブロックに供給されるパルス信号の供給タイミングを示すブロック図である。
【図５】従来のスレッドライン表示の構成を示す図である。
【符号の説明】
【００３６】
Ｒ（１）〜Ｒ（ｎ）    リレー回路
２                    シーケンサプロセッサ
３                    連動装置
４                    デジタルスイッチ
５                    電源部
Ｂ１〜Ｂｎ            表示ユニットを構成する表示ブロック
Ｓ１〜Ｓｎ            表示ユニット
【図１】
2008094335.tif 000003
【図２】
2008094335.tif 000004
【図３】
2008094335.tif 000005
【図４】
2008094335.tif 000006
【図５】
2008094335.tif 000007